(57)【要約】【課題】  複数の情報源から効果的に注目度の高いキーワードを選定することで、真に話題性の高いキーワードに基づく録画予約を実行することを目的とする。【解決手段】  本発明の録画装置１１０は、放送信号を受信する放送受信部２１０と、ＥＰＧ情報を取得するＥＰＧ取得部２１４と、ＥＰＧ情報において、出現数が所定値以上であるまたは出現数が多い順に所定数だけ、キーワードを抽出するキーワード抽出部２２０と、通信網１２０に接続された通信部２１２を介して検索サーバと接続し抽出されたキーワード全ての注目度をそれぞれ計算する注目度計算部２２６と、計算された注目度が、所定値以上であるまたは注目度が高い順に所定数だけ、キーワードをさらに選定するキーワード選定部２３０と、選定されたキーワードが含まれるテレビ番組を録画予約する予約部２３２と、を備えることを特徴とする。【選択図】    図２
2009253497.tif 000002
【特許請求の範囲】
【請求項１】
放送信号を受信する放送受信部と、
ＥＰＧ情報を取得するＥＰＧ取得部と、
前記ＥＰＧ情報における出現数に基づいて前記ＥＰＧ情報からキーワードを抽出するキーワード抽出部と、
通信網に接続された通信部を介して検索サーバと接続し前記抽出されたキーワード全ての注目度をそれぞれ計算する注目度計算部と、
前記計算された注目度に基づいて前記キーワードをさらに選定するキーワード選定部と、
前記選定されたキーワードがＥＰＧ情報に含まれるテレビ番組の録画または視聴を予約する予約部と、
を備えることを特徴とする番組受信装置。
【請求項２】
前記注目度は、前記抽出されたキーワードを、前記検索サーバで検索した場合のヒット件数で表されることを特徴とする請求項１に記載の番組受信装置。
【請求項３】
前記注目度は、前記抽出されたキーワードを、前記検索サーバで検索した場合のヒット件数の増加率で表されることを特徴とする請求項１に記載の番組受信装置。
【請求項４】
前記注目度は、前記抽出されたキーワードを、前記検索サーバで検索した場合のヒット件数の増加率速度で表されることを特徴とする請求項１に記載の番組受信装置。
【請求項５】
前記注目度は、前記抽出されたキーワードが、前記検索サーバで検索された検索回数で表されることを特徴とする請求項１に記載の番組受信装置。
【請求項６】
文字種、文字数、抽出数、選定数、ジャンル、チャネルの群から選択される１または２以上の抽出条件および選定条件をユーザ入力に応じて設定する条件設定部をさらに備え、
前記キーワード抽出部は前記抽出条件を満たすキーワードを抽出し、前記キーワード選定部は前記選定条件を満たすキーワードを選定することを特徴とする請求項１から５のいずれか１項に記載の番組受信装置。
【請求項７】
前記注目度計算部が前記検索サーバと接続する頻度をユーザ入力に応じて設定する頻度設定部をさらに備えることを特徴とする請求項１から６のいずれか１項に記載の番組受信装置。
【請求項８】
放送信号を受信する放送受信部と、
ＥＰＧ情報を取得するＥＰＧ取得部と、
前記ＥＰＧ情報における出現数に基づいて前記ＥＰＧ情報から閲覧先情報を抽出する閲覧先情報抽出部と、
通信網に接続された通信部を介して前記抽出された閲覧先情報により特定される閲覧先に接続し、全ての閲覧先それぞれへのアクセス回数により表される注目度を計算する注目度計算部と、
前記計算された注目度に基づいて前記閲覧先情報をさらに選定する閲覧先情報選定部と、
前記選定された閲覧先情報がＥＰＧ情報に含まれるテレビ番組の録画または視聴を予約する予約部と、
を備えることを特徴とする番組受信装置。
【発明の詳細な説明】
【技術分野】
【０００１】
本発明は、ＥＰＧ情報を用いてテレビジョン放送の録画または視聴の予約を行う番組受信装置に関するものである。
【背景技術】
【０００２】
一般に、テレビジョン放送（以下単にテレビという。）番組の録画または視聴を予約する場合、新聞のテレビ番組欄や電子番組表（以下単にＥＰＧという。）を参照して、所望のテレビ番組を番組受信装置に手動で設定する。番組受信装置では、予約された日時にテレビ番組を再生や録画をする。
【０００３】
また、ユーザの嗜好に合わせたキーワードを予め設定しておき、そのキーワードがＥＰＧ情報に含まれるテレビ番組を自動的に抽出し、録画または視聴を予約する技術が知られている。
【０００４】
しかし、テレビ番組を見逃さないためキーワードを多く設定し過ぎると、録画番組が多数蓄積され、真に所望する録画番組を探し当てるのに時間を要してしまい、また操作も煩雑になる。そこで、キーワードに基づいて録画されたテレビ番組を、その番組選択に用いられたキーワード毎に整理して表示する技術や（例えば、特許文献１）、ＥＰＧ情報から単語情報を切り出し、出現頻度の高い順に単語情報を表示させ、検索のキーワードの参考にする技術が公開されている（例えば、特許文献２）。
【特許文献１】特許第３６１３９１２号
【特許文献２】特許第３８７８６９４号
【発明の開示】
【発明が解決しようとする課題】
【０００５】
特許文献１のようなユーザが選択したキーワードに基づいて録画予約等する技術では、ユーザの関心が高い事項に関するテレビ番組を抽出することができるが、世の中で注目されている話題を含んだテレビ番組を抽出しようとすると、それに類するキーワードを設定しなければならなかった。
【０００６】
しかし、ユーザが必ずしも世の中で関心が高い事項を把握しているとは限らず、各種情報雑誌に掲載された視聴率結果等を参考に注目されているテレビ番組を予測せざるを得なかった。このような手法による番組予約では、テレビ番組の放送後にその流行を知ることが多く、結果的に視聴率の高かったテレビ番組など話題性のあるテレビ番組を見逃してしまう可能性が高かった。
【０００７】
また、そのような世の中の流行を把握する上で上述した特許文献２のような技術も有効ではあるが、単に最新情報を抽出しているに過ぎないので、それを番組予約に反映するのに煩雑な操作が必要となる。また、かかる最新情報を抽出する技術では、ＥＰＧ情報等単一の情報源における出現頻度のみを対象としているため、その情報源に特有のキーワードが抽出され易くなるためキーワードが偏ったり、不要なキーワードが含まれてしまう虞があった。
【０００８】
本発明は、このような課題に鑑み、真に話題性の高いキーワードに基づく録画予約または視聴予約を実行することが可能な番組受信装置を提供することを目的とする。
【課題を解決するための手段】
【０００９】
上記課題を解決するために、本発明による番組受信装置の代表的な構成は、放送信号を受信する放送受信部と、ＥＰＧ情報を取得するＥＰＧ取得部と、ＥＰＧ情報における出現数に基づいてＥＰＧ情報からキーワードを抽出するキーワード抽出部と、通信網に接続された通信部を介して検索サーバと接続し抽出されたキーワード全ての注目度をそれぞれ計算する注目度計算部と、計算された注目度に基づいてキーワードをさらに選定するキーワード選定部と、選定されたキーワードがＥＰＧ情報に含まれるテレビ番組を録画または視聴を予約する予約部と、を備えることを特徴とする。
【００１０】
本発明では、少なくともＥＰＧ情報と検索サーバとを含む複数の情報源を効果的に利用し、ＥＰＧ情報において出現数が多く、かつ、検索サーバにおいて注目度が高いキーワードを選定することで、真に話題性の高い、世間の関心を集めている事項を象徴するキーワードに基づいて録画予約または視聴予約を実行することが可能となる。ここでＥＰＧ情報は、番組タイトル、番組内容（説明文）を少なくとも含み、人名やイベント名等を含む場合もある。
【００１１】
注目度は、抽出されたキーワードを、検索サーバで検索した場合のヒット件数で表されてもよい。
【００１２】
かかる構成により、抽出されたキーワードを含むヒット件数の検索時点における絶対数によりキーワードが選定されるので、キーワードによる録画予約または視聴予約が可能となる。
【００１３】
注目度は、抽出されたキーワードを、検索サーバで検索した場合のヒット件数の増加率で表されてもよい。
【００１４】
抽出されたキーワードが、話題性とは関係なくヒットし易いキーワードであったり、様々な読み替えが行われているが故にヒットしにくいキーワードである場合、ヒット件数の絶対数のみをもって両者の注目度を計れない場合がある。本発明では検索サーバでの検索を複数回試行し、ヒット件数の増加率を求めている。このようにキーワード自体の相対的な増加率（変化率）を判定することで、抽出されたキーワードがヒットし易い文言であるか否かに拘わらず、適切に注目度の高いキーワードを選定することが可能となる。
【００１５】
注目度は、抽出されたキーワードを、検索サーバで検索した場合のヒット件数の増加率速度で表されてもよい。
【００１６】
かかる構成により、上述した増加率に加えて、０（ゼロ）を超すか否かによってその増加率自体の推移、即ち、注目度が高まっているのか、定着したのか、または最早衰退の時期にあるのかを容易に判定することができ、話題となり始めた時点等ある程度時期を絞ってキーワードを選定することが可能となる。
【００１７】
注目度は、抽出されたキーワードが、検索サーバで検索された検索回数で表されてもよい。
【００１８】
上述したヒット件数によるキーワードの選定では、意図していない不要な検索結果（ノイズ）を含む場合がある。本発明では、このようなヒット件数ではなく、あらゆるユーザからの検索需要を計ることができるので、純粋に話題性の高いキーワードを選定することが可能となる。
【００１９】
文字種、文字数、抽出数、選定数、ジャンル、チャネルの群から選択される１または２以上の抽出条件および選定条件をユーザ入力に応じて設定する条件設定部をさらに備え、キーワード抽出部は抽出条件を満たすキーワードを抽出し、キーワード選定部は選定条件を満たすキーワードを選定してもよい。
【００２０】
かかる抽出条件および選定条件を設定する構成により、ユーザはキーワードの抽出および選定をある程度制御することが可能となり、所望するキーワードの選定が可能となる。
【００２１】
注目度計算部が検索サーバと接続する頻度をユーザ入力に応じて設定する頻度設定部をさらに備えてもよい。
【００２２】
かかる構成により、検索サーバへの接続間隔を調整することができ、ユーザが、録画予約または視聴予約を所望するテレビ番組の分野毎によって相異する話題性の変化を適切に見極めることが可能となる。
【００２３】
本発明による番組受信装置の他の代表的な構成は、放送信号を受信する放送受信部と、ＥＰＧ情報を取得するＥＰＧ取得部と、ＥＰＧ情報における出現数に基づいてＥＰＧ情報から閲覧先情報を抽出する閲覧先情報抽出部と、通信網に接続された通信部を介して抽出された閲覧先情報により特定される閲覧先に接続し、全ての閲覧先それぞれへのアクセス回数により表される注目度を計算する注目度計算部と、計算された注目度に基づいて閲覧先情報をさらに選定する閲覧先情報選定部と、選定された閲覧先情報がＥＰＧ情報に含まれるテレビ番組を録画または視聴を予約する予約部と、を備えることを特徴とする。
【００２４】
かかる構成により、ＥＰＧ情報と検索サーバとを含む複数の情報源を効果的に利用し、ＥＰＧ情報において出現数が多く、かつ、注目度が高い閲覧先情報（例えば、ＵＲＬ情報）を選定することで、真に話題性の高い、世間の関心を集めている事項を象徴する普遍的な閲覧先情報に基づいて録画予約または視聴予約を実行することが可能となる。
【００２５】
上述したキーワードに基づく番組受信装置における技術的思想に対応する構成要素やその説明は、当該閲覧先情報に基づく番組受信装置にも適用可能である。
【発明の効果】
【００２６】
以上説明したように本発明によれば、複数の情報源から効果的かつ有機的に注目度の高いキーワードを選定することで、真に話題性の高いキーワードに基づく録画予約または視聴予約を実行することが可能となる。
【発明を実施するための最良の形態】
【００２７】
以下に添付図面を参照しながら、本発明の番組受信装置の好適な実施形態として、予約録画を行う録画装置を例に挙げて詳細に説明する。従って、本発明は、予約録画を行う録画装置だけでなく、予約視聴を行う番組受信装置にも適用される。また、かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。（第１の実施形態：テレビ番組取得システム１００）
図１は、テレビ番組取得システム１００の概略的な接続関係を示した説明図である。当該テレビ番組取得システム１００は、番組受信装置としての録画装置１１０と、通信網１２０と、番組情報提供サーバ１３０と、検索サーバ１４０とを含んで構成される。
【００２８】
録画装置１１０は、ＤＶＤやＢｌｕ−ｒａｙＤｉｓｋ（登録商標）といったパッケージメディアまたはＨＤＤ等の固定ディスクに、アンテナ１１２を通じて取得したテレビ番組やユーザが個人的に撮像した動画データ等を録画し、また、録画した動画データをモニタ１１４に再生することができる。また、近年の録画装置１１０は、モデム等の通信装置１１６を通じて通信網１２０に接続することができ、後述する番組情報提供サーバ１３０や検索サーバ１４０等様々な電子機器と通信を行うことが可能である。
【００２９】
また、ここでは、録画装置１１０として、レコーダを挙げているが、かかる場合に限らず、録画機能を備えた、パーソナルコンピュータ、音楽プレイヤー、カーナビゲーション、デジタルカメラ、ポータブルテレビ、ゲーム機器、携帯電話、ＰＤＡ等様々な電子機器を用いることもできる。
【００３０】
通信網１２０は、有線放送回線、ＩＳＤＮ回線、インターネット、ＷＡＮ、専用回線等で構成され、録画装置１１０と、番組情報提供サーバ１３０や検索サーバ１４０とを有線または無線により接続する。
【００３１】
番組情報提供サーバ１３０は、通信網１２０を通じて他の電子機器に、主として今後放送されるテレビ番組の放送予定日時を特定可能なＥＰＧ情報、特にインターネット上のｉＥＰＧ（internet EPG）（登録商標）を提供する。
【００３２】
検索サーバ１４０は、例えば、ＷＷＷ等に公開された情報を蓄え、ユーザが入力したキーワードまたはそれに類するキーワードを含む所望する情報を、ＵＲＬ情報等のリンク情報を介しリンクを確立できる状態でリスト形式に表示する検索エンジンである。
【００３３】
（録画装置１１０）
図２は、録画装置１１０の具体的な構成を示した機能ブロック図である。録画装置１１０は、放送受信部２１０と、通信部２１２と、ＥＰＧ取得部２１４と、ＥＰＧ情報データベース（ＤＢ）２１６と、条件設定部２１８と、キーワード抽出部２２０と、抽出結果データベース（ＤＢ）２２２と、頻度設定部２２４と、注目度計算部２２６と、計算結果データベース（ＤＢ）２２８と、キーワード選定部２３０と、予約部２３２と、動画再生部２３４とを含んで構成される。
【００３４】
放送受信部２１０は、アンテナ１１２または有線ケーブル２５０を通じて放送信号を当該録画装置１１０に取り込む。
【００３５】
通信部２１２は、通信網１２０に接続され、通信網１２０を介して入力される信号を録画装置１１０内で処理可能な信号に変換、または録画装置１１０の信号を通信網１２０に対して出力する機能を有する。
【００３６】
ＥＰＧ取得部２１４は、放送受信部２１０が受信した放送信号に重畳されているＥＰＧ情報や、通信部２１２が受信した番組情報提供サーバ１３０からのＥＰＧ情報（ｉＥＰＧ情報）を取得する。
【００３７】
ＥＰＧ情報データベース２１６は、ＥＰＧ取得部２１４が取得したＥＰＧ情報を格納する。
【００３８】
条件設定部２１８は、文字種、文字数、抽出数、選定数、ジャンル、チャネルの群から選択される１または２以上の抽出条件および選定条件をユーザ入力に応じて設定する。また、抽出条件や選定条件として、人名、番組タイトル、番組内容（説明文）等を追加することもできる。
【００３９】
図３は、抽出条件および選択条件の選択ユーザインターフェースを示す概念図である。特に図３（ａ）に抽出条件を図３（ｂ）に選定条件を表している。ここで、文字種２６０は、大文字小文字の区別や全角半角の区別等を実行するかどうかを設定し、文字数２６２は、単語同士の同一性を判断するため一致を判定する文字数を設定し、抽出数２６４は、同一と判断できる単語がいくつあればキーワードとして抽出するのか、または同一と判断できる単語の数が多い順（ランキング）に何個まで抽出するのかを設定し、ジャンル２６６は、ユーザの所望するジャンルを設定し、チャネル２６８は、特定のチャネルを指定してキーワードを抽出する場合に設定し、選定数２７０は、抽出数２６４同様、選定するキーワードの数を設定している。
【００４０】
かかる抽出条件および選定条件を設定する構成により、ユーザはキーワードの抽出および選定をある程度制御することが可能となり、所望するキーワードの選定が可能となる。
【００４１】
キーワード抽出部２２０は、条件設定部２１８によって設定された抽出条件に基づき、ＥＰＧ情報データベース２１６に格納されたＥＰＧ情報において、出現数が所定値以上である、または出現数が多い順に所定数だけ、キーワードを抽出する。ここで、ＥＰＧ情報の抽出対象範囲は、全てとしてもよいし、直近１週間等制限を設けてもよい。また、過去のＥＰＧ情報や過去にユーザが視聴したテレビ番組のＥＰＧ情報を対象とすることもできる。
【００４２】
図４は、キーワード抽出部２２０の抽出結果を示す概念図である。キーワード抽出部２２０は、図３に示した抽出条件に「上位１０個」の条件が設定されているので、重複数の多い順に１０個のキーワードを次回の検索候補として拾い出す。このとき、ユーザは、抽出された１または２以上のキーワードを確認し、不要なキーワードの削除または所望するキーワードの追加を行うこともできる。
【００４３】
抽出結果データベース２２２は、キーワード抽出部２２０が抽出した１または２以上のキーワードを格納する。
【００４４】
頻度設定部２２４は、後述する注目度計算部２２６が検索サーバ１４０と接続する頻度をユーザ入力に応じて設定する。
【００４５】
図５は、頻度設定部２２４による接続頻度設定のユーザインターフェースを示す概念図である。図５（ａ）の接続頻度の設定画面では、検索サーバ１４０への接続を「いつから」２８０、「どのぐらいの期間毎に」２８２、「何回実行するか」２８４を設定することができる。また、一旦接続頻度が設定されると、以降は図５（ｂ）に示す接続管理画面によって接続頻度の再調整および接続済の確認を行うことができる。図５（ａ）の接続頻度設定によって５回の接続が行われることとなっているので、図５（ｂ）の各接続日時には既に接続予定のチェックボックス２８６にチェックが入っている。ここで、接続頻度を下げることを試みる場合、具体的な日時のチェックボックス２８６のチェックを外せばよいことになる。
【００４６】
かかる構成により、検索サーバ１４０への接続間隔を調整することができ、ユーザが、録画予約を所望するテレビ番組の分野毎によって相異する話題性の変化を適切に見極めることが可能となる。
【００４７】
注目度計算部２２６は、頻度設定部２２４によって設定された接続日時が到来すると、通信網１２０を介して、予め指定されたＵＲＬ等により特定される検索サーバ１４０に接続し、抽出されたキーワード全ての注目度をそれぞれ計算する。ここで、注目度は話題性を評価する指標として機能し、具体的には以下のような定義付けを行うことができる。
【００４８】
例えば、注目度は、キーワード抽出部２２０で抽出されたキーワードを検索サーバ１４０で検索した場合のヒット件数で表される。
【００４９】
図６は、注目度計算部２２６の計算結果を示した概念図である。ここでは、図４に示した１０個のキーワードについて、注目度計算部２２６が、図５に示した接続頻度で検索サーバ１４０に接続されるので、１０個のキーワード×５回＝５０の計算結果を得ることができる。本例では、注目度がヒット件数で単純に表されるので、後述するキーワード選定部２３０において、その上位３個のキーワードとして、図６に示される限り、１４，２００，０００件の「焼酎」、３，４００，０００件の「確定申告」、２，６６０，０００件の「アカデミー賞」が選定される。かかる構成により、抽出されたキーワードを含むヒット件数の、検索時点における絶対数によりキーワードが選定されるので、キーワードによる録画予約が可能となる。
【００５０】
また、注目度は、抽出されたキーワードを、検索サーバ１４０で検索した場合のヒット件数の増加率で表されてもよい。増加率は、ヒット件数の変化量（直近のヒット件数−過去のヒット件数）を過去のヒット件数で除算することで求められ、例えば、図６におけるキーワード「センバツ」の直近の増加率は、（１，３５０，０００件−１，３３０，０００件）／１，３３０，０００件×１００＝１．５％となる。また、初回接続からの増加率は、（１，３５０，０００件−１，３１０，０００件）／１，３１０，０００件×１００＝３．１％となる。また、増加率としてヒット件数の変化に関する例えば単位時間あたりの変化量（変化速度）等様々な数式を採用することもできる。
【００５１】
キーワード抽出部２２０によって抽出されたキーワードが、話題性とは関係なくヒットし易いキーワードであったり、様々な読み替えが行われているが故にヒットしにくいキーワードである場合、ヒット件数の絶対数のみをもって両者の注目度を計れない場合がある。ここでは、検索サーバでの検索を複数回試行し、ヒット件数の増加率で注目度が表されるので、後述するキーワード選定部２３０において、その上位３個のキーワードとして、図６に示される限り、３．１％の「センバツ」、２．１％の「タミフル(登録商標)」、１．５％の「アカデミー賞」が選定される。かかる構成により、抽出されたキーワードを含むヒット件数の、検索時点における絶対数によりキーワードが選定されるので、キーワードによる録画予約が可能となる。
【００５２】
このようにキーワード自体の相対的な増加率を判定することで、抽出されたキーワードがヒットし易い文言であるか否かに拘わらず、適切に注目度の高いキーワードを選定することが可能となる。
【００５３】
また、注目度は、抽出されたキーワードを、検索サーバ１４０で検索した場合のヒット件数の増加率速度で表されてもよい。増加率速度は、上述した増加率のさらに試行前後の差分、または単位時間の変化率をとることによって求めることができる。かかる構成により、上述した増加率に加えて、０（ゼロ）を超すか否かによってその増加率自体の推移、即ち、注目度が高まっているのか、定着したのか、または最早衰退の時期にあるのかを容易に判定することができ、話題となり始めた時点等ある程度時期を絞ってキーワードを選定することが可能となる。
【００５４】
さらに、注目度は、抽出されたキーワードが、検索サーバ１４０で検索された検索回数で表されてもよい。上述したヒット件数によるキーワードの選定では、意図していない不要な検索結果（ノイズ）を含む場合がある。ここでは、ヒット件数ではなく、あらゆるユーザからの検索需要を計ることができるので、純粋に話題性の高いキーワードを選定することが可能となる。
【００５５】
計算結果データベース２２８は、キーワード抽出部２２０が抽出したキーワード全てに対する、注目度計算部２２６が計算した注目度をその取得時間に関連付けて格納する。
【００５６】
キーワード選定部２３０は、注目度計算部２２６による計算が完了すると、条件設定部２１８によって設定された選定条件に基づいて、計算された注目度が、所定値以上であるまたは注目度が高い順に所定数だけ、キーワードを選定する。
【００５７】
予約部２３２は、ＥＰＧ情報データベース２１６におけるＥＰＧ情報から、キーワード選定部２３０によって選定されたキーワードが含まれるテレビ番組を抽出、録画予約を実行し、その予約時間に到達すると記録媒体２９０にテレビ番組を録画する。なお、視聴予約を行う場合、予約部２３２は視聴予約を実行する。
【００５８】
動画再生部２３４は、その録画された記録媒体２９０から動画データを読み込んで、モニタ１１４に再生する。
【００５９】
以上説明した録画装置１１０によって、少なくともＥＰＧ情報と検索サーバ１４０とを含む複数の情報源を効果的に利用し、ＥＰＧ情報において出現数が多く、かつ、検索サーバ１４０において注目度が高いキーワードを選定することで、真に話題性の高い、世間の関心を集めている事項を象徴するキーワードに基づいて録画予約を実行することが可能となる。
【００６０】
なお、上記した録画装置１１０の機能をプログラムによりコンピュータに実現させるようにしてもよい。このプログラムは、記録媒体から読みとられてコンピュータに取り込まれてもよいし、通信ネットワークを介して伝送されてコンピュータに取り込まれてもよい。
【００６１】
（録画方法）
図７は、録画装置１１０を用いて録画を行う録画方法の処理の流れを示したフローチャートである。
【００６２】
録画方法における録画予約処理が開始されると、放送受信部２１０が放送信号を受信し（Ｓ３００）、ＥＰＧ取得部２１４は、この放送信号に重畳されているＥＰＧ情報を取得し、ＥＰＧ情報データベース２１６に格納する（Ｓ３０２）。
【００６３】
そして、キーワード抽出部２２０は、条件設定部２１８によって設定された抽出条件に基づき、ＥＰＧ情報において出現数が所定値以上であるか、または出現数が多い順に所定数だけ、ＥＰＧ情報で使用されているキーワードを抽出し（Ｓ３０４）、抽出結果データベース２２２に格納する（Ｓ３０６）。これにより、最新のＥＰＧ情報に使用されている出現頻度の高いキーワードを抽出することができる。
【００６４】
注目度計算部２２６は、頻度設定部２２４によって設定された接続日時が到来すると、通信網１２０を介して、予め指定されたＵＲＬ等により特定される検索サーバ１４０に接続し、抽出されたキーワード全ての注目度を計算し（Ｓ３０８）、計算結果データベース２２８に格納する（Ｓ３１０）。かかる検索は、検索サーバ１４０のＷＥＢブラウザにおける検索ボックスに、抽出されたキーワードを１つずつ順に入力し、インターネット等のネットワーク上におけるＷＥＢブラウザ等による検索結果からヒット件数を抽出することで実行する。なお、検索サーバ１４０にて予め検索が行われており、最近のネットワーク上におけるキーワードのヒット件数等が抽出されている場合には、そのヒット件数を利用し、新たな検索を省略してもよい。また、検索結果からヒット件数を抽出するとき、対象が例えばＨＴＭＬファイルの検索結果ページであれば、検索結果のテンプレートから特定の文字列「の検索結果のうち」、「で検索した結果」、「の検索結果です。」等を認識してヒット件数に該当する位置の数値を取得する。また、注目度は、上述したように、ヒット件数、増加率、増加率速度、検索回数のうちいずれかまたは複数を採用することができる。
【００６５】
そして、注目度計算部２２６は、抽出した全てのキーワードについて検索サーバ１４０を利用しての注目度の計算が終了したか否かを判断し（Ｓ３１２）、終了していない場合には（Ｓ３１２“ＮＯ”）、Ｓ３０８に戻り、残りの抽出キーワードについて注目度を計算する。
【００６６】
注目度計算部２２６による抽出した全てのキーワードについての検索サーバ１４０を利用した注目度の計算が完了すると（Ｓ３１２“ＹＥＳ”）、キーワード選定部２３０は、注目度計算部２２６が計算した注目度を計算結果データベース２２８から読み出し、予約部２３２へ出力する。
【００６７】
キーワード選定部２３０は、注目度計算部２２６から注目度を得ると、その注目度がユーザの設定した所定値以上であるか、または注目度が高い順にユーザの設定した１または複数の所定数等、ユーザの設定した条件によりキーワードを選定する（Ｓ３１４）。その結果、ユーザの設定した条件を満足したキーワードが選定されると（Ｓ３１６）、予約部２３２は、その選定したキーワードが含まれるテレビ番組を録画予約する（Ｓ３１８）。
【００６８】
従って、第１の実施形態によれば、受信したＥＰＧ情報からＥＰＧ情報のうちで出現頻度等の注目度の高いキーワードを所定数抽出し、ＥＰＧ情報のうちから所定数抽出した注目度の高いキーワードを検索サーバ１４０によりインターネット等上で検索させ、所定の条件を満足するキーワードを選定するようにしたので、ＥＰＧ情報とインターネット等の複数の情報源から効果的に注目度の高いキーワードを選定して、真に話題性の高いキーワードに基づく録画予約を実行することが可能となる。
【００６９】
また、上記第１の実施形態では、まずは受信したＥＰＧ情報からそのＥＰＧ情報のうちで出現頻度等の注目度の高いキーワードを所定数抽出し、続いてＥＰＧ情報のうちから所定数抽出した注目度の高いキーワードをインターネット等のネットワーク上で検索してキーワードを選定するようにしたが、本録画装置におけるユーザの嗜好性を反映させるため、ユーザが１週間や１月などの所定期間、視聴した番組のＥＰＧ情報をＥＰＧ情報データベース２１６等に記憶しておき、その記憶しておいたＥＰＧ情報のうちで出現頻度等の注目度の高いキーワードを所定数抽出し、続いてＥＰＧ情報のうちから所定数抽出した注目度の高いキーワードをインターネット等のネットワーク上で検索してキーワードを選定するようにしても勿論よい。このようにすれば、ユーザの嗜好性を反映したキーワードに基づく予約録画が可能となる。
【００７０】
また、上記第１の実施形態では、まずは受信したＥＰＧ情報からＥＰＧ情報のうちで出現頻度等の注目度の高いキーワードを所定数抽出し、続いてＥＰＧ情報のうちから所定数抽出した注目度の高いキーワードをインターネット等のネットワーク上で検索してキーワードを選定するようにしたが、これとは逆に、まずは注目度の高いキーワードをインターネット等のネットワーク上で抽出し、続いてネットワーク上で抽出した注目度の高いキーワードを受信したＥＰＧ情報から出現頻度等により選定するようにしても勿論よい。
【００７１】
（第２の実施形態：録画装置４１０）
上述した第１の実施形態では、ＥＰＧ情報から重複する「キーワード」を注目度の高い「キーワード」として抽出していたが、本実施形態では、ＥＰＧ情報から「閲覧先情報」として、例えば、ＵＲＬ情報やそれに類する情報を抽出する。
【００７２】
図８は、第２の実施形態の録画装置４１０の具体的な構成を示した機能ブロック図である。録画装置４１０は、放送受信部２１０と、通信部２１２と、ＥＰＧ取得部２１４と、ＥＰＧ情報データベース（ＤＢ）２１６と、条件設定部２１８と、閲覧先情報抽出部４２０と、抽出結果データベース（ＤＢ）２２２と、頻度設定部２２４と、注目度計算部４２６と、計算結果データベース（ＤＢ）２２８と、閲覧先情報選定部４３０と、予約部２３２と、動画再生部２３４とを含んで構成される。
【００７３】
第１の実施形態において既に述べた放送受信部２１０と、通信部２１２と、ＥＰＧ取得部２１４と、ＥＰＧ情報データベース２１６と、条件設定部２１８と、抽出結果データベース）２２２と、頻度設定部２２４と、計算結果データベース２２８と、予約部２３２と、動画再生部２３４とは、実質的に機能が同一なので重複説明を省略し、ここでは、構成が相違する閲覧先情報抽出部４２０と、注目度計算部４２６と、閲覧先情報選定部４３０とを主に説明する。
【００７４】
閲覧先情報抽出部４２０は、条件設定部２１８によって設定された抽出条件に基づき、ＥＰＧ情報データベース２１６に格納されたＥＰＧ情報において出現数が、ユーザの設定した所定値以上であるか、または出現数が多い順にユーザの設定した所定数だけ、閲覧先情報を抽出する。
【００７５】
閲覧先情報抽出部４２０が抽出する閲覧先情報としては、例えば、ＥＰＧ情報に使用されている番組の内容や番組に関連するコマーシャル情報のサイトのアドレスを示すＵＲＬ情報がある。
【００７６】
注目度計算部４２６は、頻度設定部２２４によって設定された接続日時が到来すると、通信網１２０を介して、抽出された閲覧先情報により特定される閲覧先（例えば、閲覧先サーバ等）４５０に接続し、全ての閲覧先それぞれへのアクセス回数により表される注目度を計算する。
【００７７】
閲覧先情報選定部４３０は、注目度計算部４２６による計算が完了すると、計算された注目度が、所定値以上であるまたは注目度が高い順に所定数だけ、閲覧先情報をさらに選定する。
【００７８】
従って、第２の実施形態によれば、かかる録画装置４１０の構成により、第１の実施形態同様、ＥＰＧ情報と検索サーバとを含む複数の情報源を効果的に利用し、ＥＰＧ情報において出現数が多く、かつ、注目度が高い閲覧先情報を選定することで、真に話題性の高い、世間の関心を集めている事項を象徴する普遍的な閲覧先情報に基づいて録画予約を実行することが可能となる。
【００７９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８０】
なお、本明細書の録画方法における各工程は、必ずしもフローチャートとして記載された順序に沿って時系列に処理する必要はなく、並列的あるいはサブルーチンによる処理を含んでもよい。
【産業上の利用可能性】
【００８１】
本発明は、ＥＰＧ情報とインターネット等のネットワーク上の情報を用いてテレビジョン放送の予約録画や予約視聴を行う録画装置に利用することができる。
【図面の簡単な説明】
【００８２】
【図１】第１の実施形態におけるテレビ番組取得システムの概略的な接続関係を示した説明図である。
【図２】録画装置の具体的な構成を示した機能ブロック図である。
【図３】抽出条件および選択条件の選択ユーザインターフェースを示す概念図である。
【図４】キーワード抽出部の抽出結果を示す概念図である。
【図５】頻度設定部による接続頻度設定のユーザインターフェースを示す概念図である。
【図６】注目度計算部２２６の計算結果を示した概念図である。
【図７】録画装置を用いて録画を行う録画方法の処理の流れを示したフローチャートである。
【図８】第２の実施形態における録画装置の具体的な構成を示した機能ブロック図である。
【符号の説明】
【００８３】
１１０、４１０  …録画装置
１４０  …検索サーバ
２１０  …放送受信部
２１４  …ＥＰＧ取得部
２１８  …条件設定部
２２０  …キーワード抽出部
２２４  …頻度設定部
２２６、４２６  …注目度計算部
２３０  …キーワード選定部
２３２  …予約部
２３４  …動画再生部
４２０  …閲覧先情報抽出部
４３０  …閲覧先情報選定部
【図１】
2009253497.tif 000003
【図２】
2009253497.tif 000004
【図３】
2009253497.tif 000005
【図４】
2009253497.tif 000006
【図５】
2009253497.tif 000007
【図６】
2009253497.tif 000008
【図７】
2009253497.tif 000009
【図８】
2009253497.tif 000010